(57)【要約】    【課題】ゴム製継手本体の交換が容易で、かつ脱落に対する安全性を高めることのできるゴム軸継手の提供。    【解決手段】駆動軸２ａ及び従動軸２ｂの端部に一対のフランジ３ａ、３ｂを装着する。一対のフランジ３ａ、３ｂの外周部に筒形状のゴム製継手本体４を掛け渡す。一対のフランジ３ａ、３ｂの中心軸方向外側に、これらとの間に継手本体４の端部４ａ、４ｂを挟持する圧力リング５ａ、５ｂをボルト締結する。継手本体４に、これを周方向に分断する分断部６を形成する。継手本体４の外周側に環状部材７を着脱可能に設ける。【選択図】  図２
2015218823.tif 000002
【特許請求の範囲】
【請求項１】
駆動軸及び従動軸の端部に装着されて径方向外向きに突出すると共に中心軸方向内側が互いに対向する一対のフランジと、該一対のフランジの外周部に掛け渡される筒形状のゴム製継手本体と、前記一対のフランジの中心軸方向外側にボルト締結されて前記フランジとの間に前記継手本体の端部を挟持する圧力リングと、を備え、前記継手本体に、当該継手本体を周方向に分断する分断部が形成され、前記継手本体の外周側に環状部材が着脱可能に設けられたことを特徴とするゴム軸継手。
【請求項２】
前記環状部材は、剛性を有する円形リングとされたことを特徴とする請求項１に記載のゴム軸継手。
【請求項３】
前記継手本体の外周部に、前記環状部材を配置する環状溝が形成されたことを特徴とする請求項１又は２に記載のゴム軸継手。
【発明の詳細な説明】
【技術分野】
【０００１】
本発明は、駆動軸と従動軸との間に介装されて動力を伝達するゴム軸継手に関するものである。
【背景技術】
【０００２】
一般に、モーターなどの原動機側の駆動軸と油圧ポンプなどの被動機側の従動軸との間には、動力を伝達する軸継手が介装され、さらに、その軸継手として、可撓性を有するゴム軸継手を採用することがある。
【０００３】
ゴム軸継手には、駆動軸及び従動軸の端部に装着した一対のフランジにタイヤ形状のゴム製継手本体を止着した構造を採用することがある。このタイヤ形状のゴム製継手本体は、駆動軸及び従動軸の軸心の位置や角度のずれ、あるいは軸方向間隔の設置誤差を容易に吸収することができると共に、駆動軸及び従動軸の回転に伴う振動や衝撃、騒音を効果的に吸収することができる。
【０００４】
タイヤ形状のゴム製継手本体は、例えば、中心軸方向両端部にリング状金具を加硫接着した構造として、一対のフランジ間に配置し、そのリング状金具をフランジの中心軸方向内側にボルト締結することによって、駆動軸及び従動軸に装着することができる。ただ、この構造のゴム軸継手は、継手本体にリング状金具を加硫接着する分、ゴム軸継手を交換する際、継手本体だけでなく、リング状金具をも交換する必要があり、ゴム軸継手の交換コストが高くなる。
【０００５】
これに対し、図３に示すように、駆動軸１０１ａ及び従動軸１０１ｂのフランジ１０２ａ、１０２ｂにタイヤ形状の継手本体１０３を掛け渡し、継手本体１０３の小径の端部を中心軸方向外側に位置させて、その端部をフランジ１０２ａ、１０２ｂと圧力リング１０４ａ、１０４ｂとで挟持する構成を採用することにより、継手本体１０３のみの交換が可能になる（例えば、特許文献１）。
【０００６】
さらに、継手本体１０３を分断部１０５で周方向に分断したＣ形状に構成して、その分断部１０５を広げることにより、駆動軸１０１ａ及び従動軸１０１ｂに装着したフランジ１０２ａ、１０２ｂに、その側方から継手本体１０１を装着することができ、ゴム軸継手の着脱作業を容易にすることができる。
【先行技術文献】
【特許文献】
【０００７】
【特許文献１】特開平１０−３１８２７５号公報（段落００１３、００１５、図２）
【発明の概要】
【発明が解決しようとする課題】
【０００８】
ところが、Ｃ形状の継手本体は、駆動軸及び従動軸のフランジへの着脱作業が容易であるものの、ゴム軸継手の使用期間や使用環境、使用条件によっては、フランジからの脱落を生じ得るので、その分、保守点検に要する手間とコストを増加させるおそれがある。
【０００９】
本発明は、ゴム製継手本体の交換が容易で、かつ脱落に対する安全性を高めることのできるゴム軸継手の提供を目的とする。
【課題を解決するための手段】
【００１０】
上記目的を達成するために、本発明に係るゴム軸継手は、駆動軸及び従動軸の端部に装着されて径方向外向きに突出すると共に中心軸方向内側が互いに対向する一対のフランジと、この一対のフランジの外周部に掛け渡される筒形状のゴム製継手本体と、一対のフランジの中心軸方向外側にボルト締結されてフランジとの間に継手本体の端部を挟持する圧力リングと、を備えたものであり、その継手本体に、継手本体を周方向に分断する分断部を形成し、継手本体の外周側に環状部材を着脱可能に設けたものである。
【００１１】
上記構成によれば、ゴム製継手本体を筒形状にして一対のフランジの外周部に掛け渡すので、継手本体の筒形状によって、駆動軸から従動軸への強いトルクの伝達を可能にすることができると共に、筒形状を構成するゴムによって、振動などを効果的に吸収することができる。
【００１２】
また、継手本体をその端部をフランジと圧力リングとで挟持して装着するので、継手本体に取付金具を加硫接着した構造とは違い、継手本体の交換に伴う取付金具の交換を不要にすることができる。しかも、継手本体に分断部を形成して周方向に分断するので、分断部を広げることにより、フランジに側方から継手本体を着脱することができ、フランジへの継手本体の着脱作業を容易にすることができる。
【００１３】
さらに、継手本体に分断部を形成した上で、継手本体の外周側に環状部材を着脱可能に設けるので、フランジに継手本体を着脱する際には、環状部材を取り外して、継手本体の分断部を広げることができ、フランジに継手本体を装着した状態では、継手本体の外周側に環状部材を装着して、継手本体の分断部の広がりを阻止することができる。これにより、フランジへの継手本体の着脱作業を容易にしつつ、フランジに継手本体を装着した状態では、フランジからの継手本体の脱落を防止することができる。
【００１４】
なお、継手本体の形状は、全体として筒形状であれば、特に限定されるものではないが、駆動軸及び従動軸の設置誤差や振動、衝撃、騒音などを効果的に吸収するには、中心軸方向の中央が大径で両端が小径のタイヤ形状を採用するのが好適である。また、分断部は１つに限らず、複数の分断部を形成することもできるが、分断部を広げてフランジへの継手本体の着脱を容易にするには、１つの分断部を形成して継手本体をＣ形状に構成するだけで十分である。
【００１５】
また、環状部材を、剛性を有する円形リングとするようにしてもよい。この構成によると、環状部材を円形に維持することができるので、環状部材を装着した状態の継手本体の真円度を高めて、ゴム軸継手を周方向に沿って均一な状態にすることができる。なお、環状部材は、継手本体の外周側に着脱可能なものであればよく、剛性を有する円形リングに代えて、柔軟性を有するワイヤなどであってもよい。
【００１６】
また、継手本体の外周部に、環状部材を配置する環状溝を形成するようにしてもよい。この構成によると、環状部材を環状溝に嵌めることができるので、環状部材を位置決めすることができると共に、駆動軸及び従動軸の回転時などにおける環状部材の位置ずれを防止することができる。
【発明の効果】
【００１７】
以上のとおり、本発明によると、筒形状のゴム製継手本体に分断部を形成した上で、継手本体の外周側に環状部材を着脱可能に設けるようにしている。これにより、駆動軸及び従動軸のフランジに継手本体を着脱する際には、環状部材を取り外して継手本体の分断部を広げ、その着脱作業を容易にすることができる。一方、フランジへの装着状態では、継手本体の外周側に環状部材を装着して分断部の広がりを阻止し、フランジからの継手本体の脱落を防止することができる。その結果、ゴム製継手本体の交換を容易にすると共に、フランジからの脱落に対する安全性を高めて、保守点検に要する手間とコストを低減することができる。
【図面の簡単な説明】
【００１８】
【図１】本発明に係るゴム軸継手の側面図
【図２】図１のＡ−Ａ断面図
【図３】従来のゴム軸継手の断面図
【発明を実施するための形態】
【００１９】
以下、本発明に係るゴム軸継手を実施するための形態について、図面を用いて説明する。
【００２０】
ゴム軸継手１は、例えば、モーターなどの原動機側の駆動軸２ａと、油圧ポンプなどの被動機側の従動軸２ｂと、の間に介装されて、駆動軸２ａから従動軸２ｂに動力を伝達しつつ、駆動軸２ａ及び従動軸２ｂの偏心や偏角、軸方向間隔の設置誤差を吸収すると共に、両軸２ａ、２ｂに生じる振動や衝撃、騒音を吸収するためのものである。
【００２１】
図１、図２に示すように、ゴム軸継手１は、駆動軸２ａ及び従動軸２ｂの端部に装着されて径方向外向きに突出すると共に中心軸方向内側が互いに対向する一対のフランジ３ａ、３ｂと、一対のフランジ３ａ、３ｂの外周部に掛け渡される筒形状のゴム製継手本体４と、一対のフランジ３ａ、３ｂの中心軸方向外側にボルト締結されてフランジ３ａ、３ｂとの間に継手本体４の端部４ａ、４ｂを挟持する圧力リング５ａ、５ｂと、継手本体４を周方向に分断する分断部６と、継手本体４の外周側に着脱可能な環状部材７と、を備えている。
【００２２】
フランジ３ａ、３ｂは、中央部から中心軸方向外側に突出するボス部８ａ、８ｂを有する例えば金属製の円盤状とされ、そのボス部８ａ、８ｂを駆動軸２ａ及び従動軸２ｂの端部に外嵌されて、互いに間隔をあけつつ中心軸方向内側面を対向させて装着される。ボス部８ａ、８ｂの内周面には、駆動軸２ａ及び従動軸２ｂの外周面のキー溝９ａに合わせて位置決めされるキー溝９ｂが形成され、両キー溝９ａ、９ｂに、駆動軸２ａ及び従動軸２ｂに対するフランジ３ａ、３ｂの回転を規制するキー９が挿入される。
【００２３】
フランジ３ａ、３ｂの外周縁のうちの中心軸方向外側部分には、周方向に連続する保持溝１０が形成され、この保持溝１０に継手本体４の端部４ａ、４ｂを配置して保持するようになっている。
【００２４】
継手本体４は、ゴム製の筒形状で、さらに、中心軸方向の中央が大径で両端が小径のタイヤ形状とされ、その端部４ａ、４ｂがフランジ３ａ、３ｂと圧力リング５ａ、５ｂとで挟持されて、継手本体４が一対のフランジ３ａ、３ｂに掛け渡されて止着される。このタイヤ形状の継手本体４は、高いトルク伝達機能を維持しつつ、ゴム軸継手１の可撓性を高め、駆動軸２ａ及び従動軸２ｂの設置誤差を吸収する機能や、駆動軸２ａ及び従動軸２ｂに生じる振動などを吸収する機能を向上させる。
【００２５】
圧力リング５ａ、５ｂは、例えば金属性でフランジ３ａ、３ｂとほぼ同じ外径を有するドーナツ状の円板とされ、その中央穴をボス部８ａ、８ｂに外嵌するようにして、フランジ３ａ、３ｂの中心軸方向外側にボルト１１及び共通座金１２を用いて締結される。この圧力リング５ａ、５ｂは、ボルト１１を締めることにより、外周部とフランジ３ａ、３ｂの保持溝１０との間に端部４ａ、４ｂを挟持して継手本体４を止着し、ボルト１１を緩めることにより、端部４ａ、４ｂの挟持を解除して継手本体４のみの交換を可能にする。
【００２６】
分断部６は、継手本体４を径方向に切除した形状とされ、継手本体４を一箇所で周方向に分断したＣ形状に構成する。Ｃ形状の継手本体４は、その分断部６を広げることにより、小径の端部４ａ、４ｂを有するタイヤ形状であっても、フランジ３ａ、３ｂの側方から掛け渡すことができる。
【００２７】
環状部材７は、例えば、継手本体４の外周面と同程度の曲率を有する断面円弧状で、剛性を有する金属製の円形リングとされ、継手本体４の外周部に形成された環状溝１３に着脱自在に配置される。この環状部材７は、環状溝１３に嵌って継手本体４を外周側から拘束することにより、フランジ３ａ、３ｂへの着脱が容易なＣ形状の継手本体４がフランジ３ａ、３ｂから脱落するのを阻止すると共に、継手本体４の真円度を高める。
【００２８】
次に、本発明に係るゴム軸継手１を取り付ける手順を説明する。まず、フランジ３ａ、３ｂの中心軸方向外側に、圧力リング５ａ、５ｂを共通座金１２と共にボルト１１で緩く取り付ける。次いで、フランジ３ａ、３ｂの中心軸方向内側面を所定の間隔をあけて対向させ、ボス部８ａ、８ｂを駆動軸２ａ及び従動軸２ｂの端部に外嵌して、そのキー溝９ａ、９ｂの位置を合わせてキー９を挿入してフランジ３ａ、３ｂを装着し、それと共に、駆動軸２ａ又は従動軸２ｂに、その端部を通すように環状部材７を掛ける。
【００２９】
継手本体４をそのＣ形状の分断部６を広げてフランジ３ａ、３ｂの外周部に側方から掛け渡すように配置し、圧力リング５ａ、５ｂをボルト１１で締め付けて、継手本体４の端部４ａ、４ｂをフランジ３ａ、３ｂと圧力リング５ａ、５ｂとで挟持する。その後、駆動軸２ａ又は従動軸２ｂに掛けた環状部材７を中心軸方向に移動させて環状溝１３に嵌め込んで、環状部材７で継手本体４を外周側から拘束し、ゴム軸継手１の取付けが完了する。
【００３０】
なお、環状部材７を環状溝１３から外した後、ボルト１１を緩めて、フランジ３ａ、３ｂと圧力リング５ａ、５ｂとによる継手本体４の端部４ａ、４ｂの挟持を解除することにより、継手本体４を取り外して交換することができる。
【００３１】
上記構成によれば、継手本体４の外周側を環状部材７で拘束するので、継手本体４を着脱が容易なＣ形状にしつつ、その脱落を防止することができ、しかも、環状部材７を剛性を有する円形リングとするので、継手本体４の真円度を高めることができる。
【００３２】
なお、本発明は、上記の実施の形態に限定されるものではなく、本発明の範囲内において、適宜変更を加えることができる。例えば、継手本体４は、全体として筒形状であればよく、タイヤ形状に限らず、他の形状であってもよい。また、継手本体４は、一箇所に分断部６を有するＣ形状に限らず、複数個所に分断部６を有して複数に分割された形状であってもよい。また、環状部材７は、金属製で剛性を有する円形リングに限らず、ワイヤなどの可撓性を有するものであってもよい。
【符号の説明】
【００３３】
１          ゴム軸継手
２ａ        駆動軸
２ｂ        従動軸
３ａ、３ｂ  フランジ
４          継手本体
４ａ、４ｂ  端部
５ａ、５ｂ  圧力リング
６          分断部
７          環状部材
８ａ、８ｂ  ボス部
９          キー
９ａ、９ｂ  キー溝
１０        保持溝
１１        ボルト
１２        共通座金
１３        環状溝
【図１】
2015218823.tif 000003
【図２】
2015218823.tif 000004
【図３】
2015218823.tif 000005